(57)【要約】【課題】リブによるフェース補強効果を高めつつ反発性能の高いゴルフクラブヘッドの提供。【解決手段】ゴルフクラブヘッドフェース裏面２ｂにリブ１４、１６、１８、２０、２２、２４を設ける。フェース中央部からフェース周縁部に向かって延びるリブを４本以上設ける。互いに隣り合った上記リブ相互間における延在方向のなす角度θ１〜θ６は１２０度以下である。リブの所定部のリブの最大幅Ｗ１は８〜１４ｍｍである。リブの所定部のリブ高さｈは０．５〜１．５ｍｍである。リブの所定部は、リブ上部に平坦部を有する。この平坦部の幅Ｗ２は３〜６ｍｍである。リブ最大幅Ｗ１と上記平坦部の幅Ｗ２との比（Ｗ２／Ｗ１）は０．２５〜０．６０であるゴルフクラブヘッド。リブ境界部又は平坦部の両側を丸めてもよい。【選択図】図２
2007089831.tif 000002
【特許請求の範囲】
【請求項１】
フェース中央部からフェース周縁部に向かって延びる４本以上のリブがフェース裏面に設けられており、
互いに隣り合った上記リブ相互間における延在方向のなす角度θ（度）は１２０度以下であり、
リブの所定部のリブ最大幅Ｗ１は８〜１４ｍｍであり、
リブの所定部のリブ高さは０．５〜１．５ｍｍであり、
リブの所定部は、リブ上部に平坦部を有し、この平坦部の幅Ｗ２は３〜６ｍｍであり、
上記リブ最大幅Ｗ１と上記平坦部の幅Ｗ２との比（Ｗ２／Ｗ１）は０．２５〜０．６０であるゴルフクラブヘッド。
【請求項２】
フェース厚みは、０．５〜３．５ｍｍである請求項１に記載のゴルフクラブヘッド。
【請求項３】
シャフトと、
シャフトの一端部に取り付けられたグリップと、
シャフトの他端部に取り付けられたゴルフクラブヘッドとを備え、
上記ゴルフクラブヘッドは、フェース中央部からフェース周縁部に向かって延びる４本以上のリブをフェース裏面に有しており、
互いに隣り合った上記リブ相互間における延在方向のなす角度θ（度）は１２０度以下であり、
リブの所定部のリブ最大幅Ｗ１は８〜１４ｍｍであり、
リブの所定部のリブ高さは０．５〜１．５ｍｍであり、
リブの所定部は、リブ上部に平坦部を有し、この平坦部の幅Ｗ２は３〜６ｍｍであり、
上記リブ最大幅Ｗ１と上記平坦部の幅Ｗ２との比（Ｗ２／Ｗ１）は０．２５〜０．６０であるゴルフクラブ。
【発明の詳細な説明】
【技術分野】
【０００１】
本発明は、フェース裏面をリブで補強したゴルフクラブヘッドに関するものである。
【背景技術】
【０００２】
近年、ゴルフクラブヘッドは、大型化し且つ薄肉化する傾向にある。広く且つ薄いフェースの強度は低下しやすい。フェースの厚みを薄くしつつフェース強度を高めるため、フェース裏面にリブを設ける技術が知られている。特開２００３−２９０３９６号は、上下方向に延びる複数本のリブを設け、該リブの高さをトウ側及びヒール側のリブほど低くし、且つ個々のリブにおける高さ分布は、その長手方向で一定あるいは下方（ソール寄り）ほど高くされているゴルフクラブヘッドを開示する。
【特許文献１】特開２００３−２９０３９６号公報
【発明の開示】
【発明が解決しようとする課題】
【０００３】
上記従来技術のゴルフクラブヘッドでは、リブの体積（リブの重量）が大きい割にはフ
ェース強度の補強効果（以下、フェース補強効果ともいう）が充分ではない。また、全てのリブが上下方向に延びているため、フェース剛性が過大であった。特にフェースのトウ側及びヒール側において上下方向に延びるリブは、フェース剛性を過大とする。過大なフェース剛性は、打撃時におけるフェース振動を過度に拘束する。フェース振動が過度に高速されると、ヘッドの反発性能が低下する。本発明の目的は、リブによるフェース補強効果を高めつつ反発性能の高いゴルフクラブヘッドを提供することである。
【課題を解決するための手段】
【０００４】
本発明のゴルフクラブヘッドは、フェース中央部からフェース周縁部に向かって延びる４本以上のリブをフェース裏面に有する。互いに隣り合った上記リブ相互間における延在方向のなす角度θ（度）は１２０度以下である。リブの所定部のリブ最大幅Ｗ１は８〜１４ｍｍである。リブの所定部のリブ高さは０．５〜１．５ｍｍである。リブの所定部は、リブ上部に平坦部を有し、この平坦部の幅Ｗ２は３〜６ｍｍである。上記リブ最大幅Ｗ１と上記平坦部の幅Ｗ２との比（Ｗ２／Ｗ１）は０．２５〜０．６０である。このゴルフクラブヘッドには、シャフト及びグリップが装着され、ゴルフクラブとして使用される。
【０００５】
好ましくは、上記ゴルフクラブヘッドのフェース厚みは、０．５〜３．５ｍｍとされる。
【発明の効果】
【０００６】
フェース中央部からフェース周縁部に向かって延びるリブを４本以上設け、且つリブの所定部の断面形状及びリブの配置を適切に設定したので、フェース補強効果と反発性能とを両立することができる。
【発明を実施するための最良の形態】
【０００７】
以下に、本発明の実施形態を図面を参照しつつ説明する。
図１は、本発明の第一実施形態であるゴルフクラブヘッド（以下、単にヘッドともいう）１の全体を示す斜視図である。ヘッド１は、いわゆるウッド型のゴルフクラブヘッドである。ヘッド１は、打撃時にボールと接触するフェース部２と、このフェース部２の上縁からヘッド後方に延びヘッド１の上面を構成するクラウン部３と、フェース部２の下縁からヘッド後方に延びヘッド１の下面を構成するソール部４と、クラウン部３とソール部４との間に延び且つフェース部２以外の部分を構成するサイド部５と、シャフト（図示されない）を挿入接着するためのシャフト穴（図示されない）を備えたホーゼル部６と、を有する。フェース部２と他の部分（クラウン部３、ソール部４、サイド部５等）との間にはフェース境界線ｋが形成される。ヘッド１は、中空構造である。
【０００８】
ヘッド１は、金属からなる。ヘッド１は、２つの部材よりなる２ピース構造である。即ちヘッド１は、予め成形された２つの部材（ピース）を接合することにより製造される。ヘッド１は、３ピース以上から構成されていてもよい。図１において、ピース間の接合部ｓが仮想線（２点鎖線）で示される。ヘッド１は、略お椀型のカップフェース１ａとヘッド本体部１ｂとが溶接接合されてなる。接合部ｓにおいてカップフェース１ａとヘッド本体部１ｂとが溶接されている。カップフェース１ａは、フェース部２の全体と、フェース部２の周縁からヘッド後方へと延びる立上り部１１を備える。カップフェース１ａは、立上り部１１の端面においてヘッド本体部１ｂと溶接される。カップフェース１ａは、ヘッド１の前方部分を構成する。ヘッド本体部１ｂは、ヘッド１のうちカップフェース１ａ以外の部分を構成する。カップフェース１ａの立上り部１１は、クラウン部３のフェース寄り部分、ソール部４のフェース寄り部分及びサイド部５のフェース寄り部分を構成する。ヘッド本体部１ｂは、クラウン部３のバック寄り部分、ソール部４のバック寄り部分、サイド部５のバック寄り部分及びホーゼル部６を構成する。カップフェース１ａ及びヘッド本体部１ｂは、チタン合金からなる。カップフェース１ａは、鍛造製法により作製される。ヘッド本体部１ｂは、ロストワックス精密鋳造法により作製される。
【０００９】
前述の通り、ヘッド１にはカップフェース１ａが用いられている。カップフェース１ａにより、フェース部２と立上り部１１とが一体成形される。カップフェース１ａは、フェース境界線ｋと接合部ｓとを離間させる。カップフェース１ａは、接合部ｓをフェース境界線ｋよりもバック側に位置させる。接合部ｓとフェース境界線ｋとが同位置とされた場合、打撃時の衝撃力で接合部ｓに応力が集中しやすい。カップフェース１ａの立上り部１１は、接合部ｓに作用する打撃時の衝撃力を弱めるのに寄与する。
【００１０】
ヘッド１の素材は特に限定されない。ヘッド１の素材として、各種金属材料、繊維強化プラスチック等が例示される。金属材料として、チタン、チタン合金、ステンレス合金、アルミニウム合金、マグネシウム合金等が例示される。チタン合金として、６Ａｌ−４Ｖチタン、１５Ｖ−３Ｃｒ−３Ａｌ−３Ｓｎチタン、１５Ｍｏ−５Ｚｒ−３Ａｌチタン、１３Ｖ−１１Ｃｒ−３Ａｌチタン等が例示される。フェース部２を構成する部材としては強度に優れたβ型チタンが好ましい。β型チタンとしては、前述した１５Ｖ−３Ｃｒ−３Ａｌ−３Ｓｎチタン、１５Ｍｏ−５Ｚｒ−３Ａｌチタン及び１３Ｖ−１１Ｃｒ−３Ａｌチタンが例示される。繊維強化プラスチックとしては、炭素繊維強化プラスチックが例示される。ヘッド１は、上記各素材を組み合わせて作製されてもよい。フェース部２が圧延材又は鍛造材より構成されるのが好ましい。カップフェース１ａが圧延材又は鍛造材より構成されてもよい。圧延材や鍛造材は強度が高い。クラウン部３、ソール部４及びサイド部５は鋳造された部材から構成してよい。鋳造製法は形状自由度が高い。また、クラウン部３の一部又は全部を炭素繊維強化プラスチックとし、他の部分を金属部材の鋳造にて作製してもよい。クラウン部３に用いられた炭素繊維強化プラスチックはヘッド１の低重心化に寄与する。
【００１１】
ヘッド１は前述のように中空構造である。フェース部２の外面はフェース面２ａである。フェース面２ａは、打撃時にボールと接触する面である。フェース部２の内面は、フェース裏面２ｂである。図２は、カップフェース１ａをフェース裏面２ｂ側から見た平面図
である。図２におけるハッチング部分は、カップフェース１ａの端面１２を示す。
【００１２】
図２に示すように、フェース裏面２ｂにはリブ１４、１６、１８、２０、２２、２４が設けられている。リブは合計６本である。リブ１４、１６、１８、２０、２２、２４は、フェース部２を補強する。リブ１４、１６、１８、２０、２２、２４は、フェース中央部からフェース周縁部に向かって延在している。リブ１４、１６、１８、２０、２２、２４は略真っ直ぐに延在している。各リブ１４、１６、１８、２０、２２、２４の６のフェース中央部側端部は略同一位置となっている。６本のリブ１４、１６、１８、２０、２２、２４は放射状に配置されている。リブ１４、１６、１８、２０、２２、２４のフェース周縁部側端部は、フェース外周（フェース裏面２ｂの外周縁）２６にまで至っている。なお、図２において、フェース外周２６とカップフェース１ａの端面１２とで囲まれた部分は、カップフェース１ａの立上り部１１の内面である。各リブ１４、１６、１８、２０、２２、２４において、リブ長手方向位置に関わらずリブ断面形状は略一定である。
【００１３】
互いに隣り合った前記リブ相互間における延在方向のなす角度θ１〜θ６は１２０度以下とされている。即ち、図１に示すように、互いに隣り合ったリブ１４とリブ１６との相互間における延在方向のなす角度θ１は１２０度以下である。また、互いに隣り合ったリブ１６とリブ１８との相互間における延在方向のなす角度θ２も１２０度以下である。同様に、リブ１８とリブ２０との相互間における延在方向のなす角度θ３、リブ２０とリブ２２との相互間における延在方向のなす角度θ４、リブ２２とリブ２４との相互間における延在方向のなす角度θ５及びリブ２４とリブ１４との相互間における延在方向のなす角度θ６は１２０度以下である。なお、フェース裏面２ｂが非平面である場合、各角度θ１〜θ６は、へヘッド１の重心とスイートスポットとを結ぶ直線に垂直な平面への投影像において測定されうる。
【００１４】
図３は、図２のIII−III線における断面図である。III−III線は、リブ１４の所定部に位置する。図３は、リブ１４の断面形状を示す。リブ１４の断面形状は、略台形である。リブ１４は、下側ほど幅広である。換言すれば、リブ１４は、フェース面２ａ側ほど幅広である。他のリブ１６、１８、２０、２２、２４の断面形状はリブ１４の断面形状に対して略相似形である。
【００１５】
本発明では、リブの所定部における断面形状が規定される。リブの所定部以外の部分におけるリブの断面形状は任意に設定されうる。リブの所定部は以下のように定義される。ここでは、一例としてリブ１６により説明がなされる。図２に示すように、リブ１６のリブ全長Ｌのリブ長手方向中心位置４２からリブの一端側にリブ全長の４０％（つまり０．４Ｌ）だけ隔てた位置Ａと、リブ長手方向中心位置４２からリブの他端側にリブ全長の４０％（つまり０．４Ｌ）だけ隔てた位置Ｂとを設定する。位置Ａから位置Ｂまでにおいて、同一の断面形状が連続する最も長い部分が、リブ１６の所定部である。リブ全長とは、リブ長手方向の全長である。
【００１６】
本発明の効果を高める観点から、上記位置Ａから位置Ｂまでの範囲の６０％以上がリブの所定部とされるのが好ましく、上記位置Ａから位置Ｂまでの範囲の８０％以上がリブの所定部とされるのがより好ましく、上記位置Ａから位置Ｂまでの範囲の１００％がリブの所定部とされるのが特に好ましい。
【００１７】
図３の断面図において、リブ１４の上側は平坦部２８とされている。図４（ｃ）に示すリブ５２のように、平坦部２８が無い場合、リブの頂部５４に応力が集中しやすくなる。平坦部２８は、リブ１４上部に作用する応力を分散させ、リブの耐久性を高める。
【００１８】
応力分散性の観点から、平坦部の幅Ｗ２は、３ｍｍ以上とされる。好ましくは、平坦部の幅Ｗ２は４ｍｍ以上がよい。平坦部の幅Ｗ２を広くすると、リブ１４の剛性が高くなり、フェース部２の剛性も高くなる。フェース部２の剛性の過大を抑制して反発係数を増加させる観点から、平坦部の幅Ｗ２は６ｍｍ以下とされる。好ましくは、平坦部の幅Ｗ２は５ｍｍ以下がよい。なお、平坦部の幅Ｗ２には、後述する丸みの部分は含まれない。
【００１９】
図３の断面図において、リブ１４の幅の最小値は、平坦部の幅Ｗ２である。断面図において、リブ１４の幅の最大値Ｗ１は、リブ１４の最底部の幅である。下方ほどリブ幅の大きい断面形状（図３のような形状）は、リブ側面とそれに連続するフェース裏面とのなす角度αを９０度よりも大きくする。図４（ｂ）に示すような矩形断面のリブ５０では、角度αが約９０度と比較的小さい。角度αの増大は、境界線４０付近への応力集中を緩和する。応力集中の緩和は、リブへの亀裂を抑制し、フェース強度を高める。
【００２０】
下方ほどリブ幅の大きい断面形状（図３のような形状）は、リブ側面と平坦部２８とのなす角度βを９０度よりも大きくする。図４（ｂ）に示すような矩形断面のリブ５０では、角度βが約９０度と比較的小さい。角度βの増大は、平坦部２８両側の角部分への応力集中を緩和する。応力集中の緩和は、リブへの亀裂を抑制し、フェース強度を高める。
【００２１】
図４（ｂ）に示すような矩形断面のリブ５０においては、リブの最大幅Ｗ１が狭くなりやすい。リブの最大幅Ｗ１が狭いことは、リブへの応力集中を増大させる。小さい角度βと狭いリブの最大幅Ｗ１とにより、リブ境界線５６付近への応力集中がなされやすい。応力集中により、リブ境界線５６付近における亀裂が発生しやすい。矩形断面のリブ５０においては、打撃時のフェース部２の変形により平坦面６０に引張応力が作用する。この引張応力は角部６２に集中しやすい。応力集中により、角部６２付近に亀裂が発生しやすい。
【００２２】
平坦部２８の両側の角は、丸められている。この丸みの曲率半径は、Ｒ２である。この丸みは凸状である。リブ１４の境界部（リブと非リブ部分との境界部）は、丸められている。この丸みの曲率半径は、Ｒ１である。この丸みは、凹状である。リブの角部の丸みは、角部への応力集中を緩和する。この緩和は、リブ角部に発生する亀裂を抑制し、フェース強度を高める。
【００２３】
フェース補強効果及びリブへの応力集中緩和の観点から、リブの最大幅Ｗ１は、８ｍｍ以上とされるのがよい。好ましくは、リブの最大幅Ｗ１は１０ｍｍ以上である。フェース剛性の過大を抑制し反発係数を向上させる観点から、リブの最大幅Ｗ１は１４ｍｍ以下とされるのがよい。好ましくは、リブの最大幅Ｗ１は１２ｍｍ以下である。
【００２４】
フェース補強効果の観点から、リブ高さｈは、０．５ｍｍ以上とされるのがよい。好ましくは、リブ高さｈは０．７ｍｍ以上である。フェース剛性の過大を抑制し反発係数を向上させる観点から、リブ高さｈは１．５ｍｍ以下とされるのがよい。好ましくは、リブ高さｈは１．３ｍｍ以下である。
【００２５】
平坦部の幅Ｗ２を大きくしてリブ頂部における応力集中を緩和する観点から、比（Ｗ２／Ｗ１）は、０．２５以上とされるのがよい。好ましくは、比（Ｗ２／Ｗ１）は０．３０以上であり、より好ましくは０．３５以上である。リブの軽量化の観点から、比（Ｗ２／Ｗ１）は０．６以下とされるのがよい。好ましくは、比（Ｗ２／Ｗ１）は０．５５以下とされ、より好ましくは０．５０以下とされる。
【００２６】
角部への応力集中を緩和する観点から、リブ境界部の丸みの曲率半径Ｒ１は、１０ｍｍ以上が好ましい。より好ましくは、曲率半径Ｒ１は１５ｍｍ以上とされ、更に好ましくは２０ｍｍ以上とされる。リブ軽量化の観点から、曲率半径Ｒ１は５０ｍｍ以下が好ましい。より好ましくは、曲率半径Ｒ１は４５ｍｍ以下であり、特に好ましくは４０ｍｍ以下である。
【００２７】
角部への応力集中を緩和する観点から、平坦部の両側の丸みの曲率半径Ｒ２は、２．０ｍｍ以上が好ましい。より好ましくは、曲率半径Ｒ２は３．０ｍｍ以上が好ましく、特に好ましくは４．０ｍｍ以上である。平坦部の幅Ｗ２を増大させる観点から、曲率半径Ｒ２は１０ｍｍ以下が好ましい。より好ましくは、曲率半径Ｒ２は９．０ｍｍ以下であり、特に好ましくは８．０ｍｍ以下である。
【００２８】
角部等への局所的な応力集中を緩和する観点から、リブの断面形状における最小曲率半径Ｒｍは、２．０ｍｍ以上が好ましく、３．０ｍｍ以上が更に好ましく、６．０ｍｍ以上が特に好ましい。最小曲率半径Ｒｍは、リブの断面形状において存在する全ての丸み（リブ境界部の丸み及び平坦部の両側の丸みを含む）のうちで曲率半径が最小のものをいう。
【００２９】
リブ境界部の丸みの曲率半径Ｒ１が、平坦部の両側の丸みの曲率半径Ｒ２に対して小さすぎると、リブ境界部へ応力が集中しやすくなり、リブ境界部において亀裂が発生しやすくなる。リブ境界部への応力集中を緩和する観点から、比（Ｒ１／Ｒ２）の値は２．０以上が好ましく、２．５以上が更に好ましく、３．０以上が特に好ましい。平坦部の両側の丸みの曲率半径Ｒ２が、リブ境界部の丸みの曲率半径Ｒ１に対して小さすぎると、平坦部の両側に応力が集中しやすくなり、平坦部の両側において亀裂が発生しやすくなる。平坦部の両側への応力集中を緩和する観点から、比（Ｒ１／Ｒ２）は２０．０以下が好ましく、１８．０以下がより好ましく、１４．０以下が特に好ましい。
【００３０】
各リブ１４、１６、１８、２０、２２、２４の幅方向両側には、リブと非リブ部分とを区画する境界線４０が存在する。互いに隣り合ったリブの境界線４０同士が交差する部分には、曲率半径が１〜１５ｍｍの丸みＲ３、Ｒ４、Ｒ５、Ｒ６、Ｒ７及びＲ８が付与されている（図２参照）。各丸みＲ３、Ｒ４、Ｒ５、Ｒ６、Ｒ７及びＲ８は、境界線４０の両方と滑らかに連続している。丸みＲ３、Ｒ４、Ｒ５、Ｒ６、Ｒ７及びＲ８は、境界線４０同士が交差した部分への応力集中を緩和する。応力集中の緩和は、フェース部２の耐久性を向上させる。応力集中の緩和及び耐久性向上の観点から、丸みＲ３、Ｒ４、Ｒ５、Ｒ６、Ｒ７及びＲ８の曲率半径は１ｍｍ以上が好ましく、２ｍｍ以上が更に好ましい。一方、丸みＲ３、Ｒ４、Ｒ５、Ｒ６、Ｒ７及びＲ８の曲率半径が大きくなると、リブの面積が増加し、フェースの剛性が高くなる。過度のフェース剛性増加を抑制しヘッド反発係数を向上させる観点から、、丸みＲ３、Ｒ４、Ｒ５、Ｒ６、Ｒ７及びＲ８の曲率半径は１５ｍｍ以下が好ましく、１４ｍｍ以下が更に好ましく、１２ｍｍ以下が特に好ましい。
【００３１】
リブ１４、１６、１８、２０、２２、２４をフェース中央部からフェース周縁部に向かって配置することは、フェース剛性を過度に高めることなく、フェースに作用する応力を
より均等に分散させる。隣り合ったリブ相互間のリブ無し領域を狭くしてフェース強度を向上させる観点から、フェース中央部からフェース周縁部に向かって配置されたリブの本数は４本以上が好ましく、５本以上がより好ましく、６本以上が更に好ましい。フェース剛性の過度の増加を抑え反発係数を向上させる観点から、フェース中央部からフェース周縁部に向かって配置されたリブの本数は、１５本以下が好ましく、１０本以下が更に好ましく、８本以下が特に好ましい。
【００３２】
また、隣り合ったリブ相互間のリブ無し領域を狭くしてフェース強度を向上させる観点から、互いに隣り合った前記リブ相互間における延在方向のなす角度は１２０度以下が好ましく、１１０度以下がより好ましく、１００度以下が更に好ましく、９０度以下が特に好ましい。フェース剛性の過度の増加を抑え反発性能を向上させる観点から、互いに隣り合った前記リブ相互間における延在方向のなす角度は、１５度以上とするのが好ましく、３０度以上とするのが更に好ましく、４０度以上とするのが更に好ましく、５０度以上が特に好ましい。
【００３３】
リブ集中部分４４（図２において、６角形の破線で囲まれた部分）は、フェース裏面２ｂの重心を含む範囲に位置するのが好ましい。リブ集中部分４４がフェース周縁部側に寄りすぎることは、フェースに作用する応力の各リブへの均等分散性を低下させる。リブ集中部分４４は、フェース中央部からフェース周縁部に向かって延びる複数のリブが交差することにより形成された部分である。
【００３４】
フェース厚みＴは、０．５ｍｍ以上とするのが好ましい。０．５ｍｍ以上とすることにより、フェース強度が向上する。フェース強度を向上させる観点から、フェース厚みＴは１．０ｍｍ以上が更に好ましく、１．５ｍｍ以上が特に好ましい。また、フェース厚みＴは、３．５ｍｍ以下とするのが好ましい。３．５ｍｍ以下とすることにより、フェース剛性の過度の増加が抑制され反発性能が向上する。反発性能向上の観点から、フェース厚みＴは３．０ｍｍ以下が更に好ましく、２．７ｍｍ以下が特に好ましい。フェース厚みＴは、リブの厚み（リブ高さｈ）を含まない。
【００３５】
フェース中央部に作用した応力の分散性を高める観点から、リブのフェース中心部側端部は、フェース裏面２ｂの重心（図示されない）から４ｍｍ以内の範囲に配置されるのが好ましい。フェース周縁部への応力分散性を高める観点から、リブのフェース周縁部側端部は、フェース外周２６から５ｍｍ以内の範囲にまで配置されるのが好ましく、フェース外周２６にまで至っているのが更に好ましい。
【実施例】
【００３６】
以下、実施例によって本発明の効果が明らかにされるが、この実施例の記載に基づいて本発明が限定的に解釈されるべきではない。
【００３７】
［実施例１］
前述した実施形態と同様のカップフェースとヘット本体部とを溶接接合し、中空のチタン合金製ヘッドを作製した。このヘッドの体積は４０５ｃｃであり、フェース面積（フェ
ース面の面積）は４１００ｍｍ２であり、フェース厚みＴは１．８ｍｍ〜２．０ｍｍとした。リブの断面形状は、前述した実施形態と同様であり、図３に示す通りとした。リブは６本である。θ１、θ２、θ３、θ４、θ５及びθ６は約６０度である。リブの断面形状は、リブの長手方向位置に関わらず一定とした。リブの最大幅Ｗ１は１２ｍｍであり、平坦部の幅Ｗ２は４．０ｍｍとした。リブ高さｈは１．００ｍｍとした。リブ境界部の丸みの曲率半径Ｒ１は３０．０ｍｍとした。平坦部の両側の丸みの曲率半径Ｒ２は６．０ｍｍとした。最小曲率半径Ｒｍは６．０ｍｍとした。この最小曲率半径Ｒｍは、平坦部の両側の丸みの曲率半径Ｒ２である。
【００３８】
［実施例２〜３、比較例３〜４］
リブの最大幅Ｗ１を表１で示される値とした他は実施例１と同様にしてゴルフクラブヘッドを得た。
【００３９】
［実施例６、比較例５〜６、比較例９〜１１］
平坦部の幅Ｗ２を表１で示される値とした他は実施例１と同様にしてゴルフクラブヘッドを得た。
【００４０】
［実施例４〜５、比較例７〜８］
リブ高さｈを表１で示される値とした他は実施例１と同様にしてゴルフクラブヘッドを得た。
【００４１】
［実施例７〜１０］
平坦部の両側の丸みの曲率半径Ｒ２を表１で示される値とした他は実施例１と同様にしてゴルフクラブヘッドを得た。
【００４２】
［比較例１］
リブの最大幅Ｗ１、リブ高さｈ、リブ境界部の丸みの曲率半径Ｒ１及び平坦部の両側の丸みの曲率半径Ｒ２を表１で示される値とした他は実施例１と同様にしてゴルフクラブヘッドを得た。比較例１におけるリブの断面形状は、略矩形である。比較例１のリブの断面形状は、図４（ｂ）の断面のリブ境界線５６及び角部６２を丸めたものである。
【００４３】
［比較例２］
平坦部を無くし、且つ、リブ高さｈを表１で示される値とした他は実施例１と同様にしてゴルフクラブヘッドを得た。比較例２の断面形状は、図４（ｃ）で示される。比較例２におけるリブの頂点は、丸められている。
【００４４】
［耐久性の評価］
各例のヘッドに共通のシャフト及びグリップを装着してゴルフクラブを作製した。このゴルフクラブにより市販のゴルフボールを打撃させた。打撃はスイングロボットによりなされた。ヘッドスピードは５０（ｍ／ｓ）とした。打点はフェースセンターとした。ヘッドが破壊されるまでの打撃回数が下記の表１に示される。
【００４５】
［耐久性の判定］
破壊されるまでの打撃回数を基準に判定した。破壊されるまでの打撃回数が１万回以上の場合、耐久性の判定が「○」とされ、破壊されるまでの打撃回数が１万回未満の場合、耐久性の判定が「×」とされた。この判定が下記の表１に示される。
【００４６】
［反発係数の評価］
反発係数は、Ｕ．Ｓ．Ｇ．Ａ．の  Ｐｒｏｃｅｄｕｒｅ  ｆｏｒ  Ｍｅａｓｕｒｅｉｎｇ  ｔｈｅ  Ｖｅｌｏｃｉｔｙ  Ｒａｔｉｏ  ｏｆ  ａ  Ｃｌｕｂ  Ｈｅａｄ  ｆｏｒ  Ｃｏｎｆｏｒｍａｎｃｅ  ｔｏ  Ｒｕｌｅ  ４−１ｅ，  Ｒｅｖｉｓｉｏｎ  ２  （Ｆｅｂｒｕａｒｙ  ８，１９９９）に類似した方法で測定されたものである。具体的には、ゴルフボールをボール発射装置を用いて発射し、台座上に固着することなく載置されたヘッドのフェース中心点付近に衝突させる。反発係数測定に当たっては、ボールはヘッドのフェース中心点から５ｍｍ以上離れない位置で且つフェース面に対して直角に衝突させる。そして、ゴルフボールの衝突直前の入射速度Ｖｉと跳ね返り速度Ｖｏとを測定した。更に、ゴルフボールの入射速度をＶｉ、同跳ね返り速度をＶｏ、ヘッド質量をＭ、ゴルフボールの平均質量をｍとした場合に、次式（Ａ）により反発係数ｅを算定した。なお、ゴルフボールの発射口からフェース部までの距離は１ｍとし、ゴルフボールはタイトリスト社製のピナクルゴールドを使用し、ボール初速は４８．７７ｍ／ｓに設定した。また、速度センサーの位置は、ヘッドから３６０．２ｍｍ、同６３５ｍｍに設置した。算出された反発係数が下記の表１に示される。
【００４７】
（Ｖｏ／Ｖｉ）＝（ｅＭ−ｍ）／（Ｍ＋ｍ）・・・（Ａ）
【００４８】
［反発係数の判定］
反発係数が０．８６０以上のものが「○」とされ、反発係数が０．８６０未満のものが「×」とされた。この判定が下記の表１に示される。
【００４９】
【表１】
2007089831.tif 000003
【００５０】
表１で示されるように、実施例においては、耐久性及び反発係数がいずれも「○」の評価であった。一方、比較例においては、耐久性又は反発係数の少なくともいずれかが「×」の評価であった。この評価結果から、本発明の優位性は明らかである。
【図面の簡単な説明】
【００５１】
【図１】図１は、本発明の一実施形態（及び実施例１）に係るゴルフクラブヘッドの斜視図である。
【図２】図２は、本発明の一実施形態（及び実施例１）に係るゴルフクラブヘッドののカップフェースをフェース裏面側から見た平面図である。
【図３】図３は、図２のIII−III線に沿った断面図である。
【図４】図４（ａ）は、本発明の他の実施形態におけるリブの断面図である。図４（ｂ）は、比較例のリブの断面図である。図４（ｃ）は、他の比較例のリブの断面図である。
【符号の説明】
【００５２】
１・・・ゴルフクラブヘッド
２・・・フェース部
２ａ・・・フェース面
２ｂ・・・フェース裏面
１４、１６、１８、２０、２２、２４、４６・・・リブ
２８、４８・・・平坦部
Ｗ１・・・リブの最大幅
Ｗ２・・・平坦部の幅
Ｒ１・・・リブ境界部の丸みの曲率半径
Ｒ２・・・平坦部の両側の丸みの曲率半径
θ１、θ２、θ３、θ４、θ５、θ６・・・互いに隣り合ったリブ相互間における延在方向のなす角度
【図１】
2007089831.tif 000004
【図２】
2007089831.tif 000005
【図３】
2007089831.tif 000006
【図４】
2007089831.tif 000007